【手続補正書】
【提出日】平成17年7月29日(2005.7.29)
【手続補正１】
【補正対象書類名】明細書
【補正対象項目名】特許請求の範囲
【補正方法】変更
【補正の内容】
【特許請求の範囲】
【請求項１】
外周面に複数の図柄が描かれたリールを複数同軸にして横方向に並べた回転リール部と、前記各リールの外周面の一部分を遊技者に見せるための観察窓と、前記各リールごとに用意された停止スイッチとを備え、スタートスイッチの操作によって前記各リールを回転させ、前記停止スイッチの押下に従って対応するリールを停止させ、すべてのリールが停止した際における前記観察窓内の停止態様が有効なライン上に特定の図柄が揃う当選パターンのとき、遊技者に有利な条件で遊技を行うことのできる特別遊技状態に移行して遊技者に利益を付与するスロットマシンにおいて、
遊技状態切替手段と、遊技状態表示手段と、入賞図柄表示手段と、自動当選手段とを備え、
前記当選パターンには、揃えるべき図柄が異なる複数種類のものがあり、
前記遊技状態切替手段は、前記停止スイッチを所定のタイミングで押下することによって前記複数種類の中のいずれかの当選パターンが出現し得るように設定された当選可能状態と前記停止スイッチの押下されたタイミングにかかわらず前記いずれの当選パターンも出現しないように設定された当選不可状態とに遊技状態を切り替えるものであり、
前記遊技状態表示手段は、前記当選可能状態に設定されているか否かを遊技者に通知するものであり、
前記入賞図柄表示手段は、前記当選可能状態に設定されたとき該設定された当選可能状態で出現し得る当選パターンが前記複数種類の中のいずれかの当選パターンであるかを遊技者に通知するものであり、
前記自動当選手段は、前記当選可能状態で行われた遊技において全てのリールが停止した際の停止態様が前記入賞図柄表示手段によって通知された当選パターンにならないとき、前記当選パターンにならない原因となったリールを再回転させた後、該リールを前記当選パターンが成立するように停止させることを特徴とするスロットマシン。
【請求項２】
前記当選パターンは、同一の図柄を所定の複数揃えるものであり、前記入賞図柄表示手段は、設定された当選可能状態で出現し得る当選パターンを構成する一の図柄を表示するものであることを特徴とする請求項１に記載のスロットマシン。
【請求項３】
前記特別遊技状態には、遊技者に付与する利益が異なる複数種類のものがあり、前記当選可能状態は前記特別遊技状態の種類と１対１に対応付けて複数の種類が設けてあり、
前記遊技状態表示手段は、前記複数種類の中の何れかの当選可能状態に設定されているかを表示するものであることを特徴とする請求項１または２に記載のスロットマシン。
【請求項４】
前記自動当選手段は、前記当選可能状態で行われた遊技において全てのリールが停止した際の停止態様が１つのリールの停止位置のみが原因で前記当選パターンにならないとき、前記当選パターンにならない原因となったリールを再回転させた後、当該リールを前記当選パターンが成立するように停止させることを特徴とする請求項１、２または３に記載のスロットマシン。
【請求項５】
前記自動当選手段は、遊技者が停止させたリールのうちの少なくとも１つが前記当選パターンを構成する位置で停止しているときだけ、前記当選パターンにならない原因となったリールを再回転させた後、当該リールを前記当選パターンが成立するように停止させることを特徴とする請求項１、２または３に記載のスロットマシン。
【請求項６】
前記自動当選手段は、遊技者が停止させたリールのうちの少なくとも最初に停止させたリールが前記当選パターンを構成する位置で停止しているときだけ、前記当選パターンにならない原因となったリールを再回転させた後、当該リールを前記当選パターンが成立するように停止させることを特徴とする請求項１、２、３、４または５に記載のスロットマシン。
【請求項７】
前記当選パターンを構成し得る図柄の描画されている数が他のリールに比べて少ないリールを設けたことを特徴とする請求項１、２、３、４、５または６に記載のスロットマシン。
【請求項８】
前記当選可能状態では、前記当選パターンが出るように前記各リールの停止位置を対応する停止スイッチが押下されたタイミングから所定の制御範囲を限度に調整するとともに、前記制御範囲が他のリールに比べて狭く設定されたリールを設けたことを特徴とする請求項１、２、３、４、５または６に記載のスロットマシン。
【手続補正２】
【補正対象書類名】明細書
【補正対象項目名】０００１
【補正方法】変更
【補正の内容】
【０００１】【発明の属する技術分野】  本発明は、外周面に複数の図柄が描かれたリールを複数同軸にして横方向に並べた回転リール部と、前記各リールの外周面の一部分を遊技者に見せるための観察窓と、前記各リールごとに用意された停止スイッチとを備え、スタートスイッチの操作によって前記各リールを回転させ、前記停止スイッチの押下に従って対応するリールを停止させ、すべてのリールが停止した際における前記観察窓内の停止態様が有効なライン上に特定の図柄が揃う当選パターンのとき、遊技者に有利な条件で遊技を行うことのできる特別遊技状態に移行して遊技者に利益を付与するスロットマシンに関する。
【手続補正３】
【補正対象書類名】明細書
【補正対象項目名】０００４
【補正方法】変更
【補正の内容】
【０００４】  スロットマシンは、適切なタイミングで停止スイッチを押下すれば、当選パターンが有効ライン上に出現し得る当選可能状態と、どのようなタイミングで停止スイッチを押下しても有効ライン上に当選パターンが出現しない当選不可状態の各遊技状態を有しており、乱数抽選などにより予め定めた確率に従って当選可能状態が現れるように設定されている。
【手続補正４】
【補正対象書類名】明細書
【補正対象項目名】０００７
【補正方法】変更
【補正の内容】
【０００７】  また、当選不可状態で目押しを行っても無駄であることと、ビッグボーナスとレギュラーボーナスとでは当選パターンとして揃えるべき図柄が異なることから、今、当選可能状態に設定されているか否かとどの図柄を狙って目押しを行うべきかが分からなければ、たとえ技量を有する者でも効率良く目押しを行うことができないという問題があった。
【手続補正５】
【補正対象書類名】明細書
【補正対象項目名】０００８
【補正方法】変更
【補正の内容】
【０００８】  本発明は、このような従来の技術が有する問題点に着目してなされたもので、当選可能状態に設定されたとき、だれでも容易に当選パターンを揃えることができるとともに技量のある者は目押しを楽しむことのできるスロットマシンを提供することを目的としている。
【手続補正６】
【補正対象書類名】明細書
【補正対象項目名】０００９
【補正方法】変更
【補正の内容】
【０００９】【課題を解決するための手段】  かかる目的を達成するための本発明の要旨とするところは、次の各項の発明に存する。［１］外周面に複数の図柄が描かれたリール（３０ａ〜３０ｃ）を複数同軸にして横方向に並べた回転リール部と、前記各リール（３０ａ〜３０ｃ）の外周面の一部分を遊技者に見せるための観察窓（１５ａ〜１５ｃ）と、前記各リール（３０ａ〜３０ｃ）ごとに用意された停止スイッチ（１２ａ〜１２ｃ）とを備え、スタートスイッチ（１３）の操作によって前記各リール（３０ａ〜３０ｃ）を回転させ、前記停止スイッチ（１２ａ〜１２ｃ）の押下に従って対応するリール（３０ａ〜３０ｃ）を停止させ、すべてのリール（３０ａ〜３０ｃ）が停止した際における前記観察窓（１５ａ〜１５ｃ）内の停止態様が有効なライン上に特定の図柄が揃う当選パターンのとき、遊技者に有利な条件で遊技を行うことのできる特別遊技状態に移行して遊技者に利益を付与するスロットマシンにおいて、  遊技状態切替手段（１１０）と、遊技状態表示手段（６３、１６０）と、入賞図柄表示手段（６４、１６０）と、自動当選手段（１２１）とを備え、  前記当選パターンには、揃えるべき図柄が異なる複数種類のものがあり、  前記遊技状態切替手段（１１０）は、前記停止スイッチ（１２ａ〜１２ｃ）を所定のタイミングで押下することによって前記複数種類の中のいずれかの当選パターンが出現し得るように設定された当選可能状態と前記停止スイッチ（１２ａ〜１２ｃ）の押下されたタイミングにかかわらず前記いずれの当選パターンも出現しないように設定された当選不可状態とに遊技状態を切り替えるものであり、  前記遊技状態表示手段（６３、１６０）は、前記当選可能状態に設定されているか否かを遊技者に通知するものであり、  前記入賞図柄表示手段（６４、１６０）は、前記当選可能状態に設定されてたとき該設定された当選可能状態で出現し得る当選パターンが前記複数種類の中のいずれかの当選パターンであるかを遊技者に通知するものであり、  前記自動当選手段（１２１）は、前記当選可能状態で行われた遊技において全てのリール（３０ａ〜３０ｃ）が停止した際の停止態様が前記入賞図柄表示手段（６４、１６０）によって通知された当選パターンにならないとき、前記当選パターンにならない原因となったリールを再回転させた後、該リールを前記当選パターンが成立するように停止させることを特徴とするスロットマシン。
【手続補正７】
【補正対象書類名】明細書
【補正対象項目名】００１０
【補正方法】変更
【補正の内容】
【００１０】［２］前記当選パターンは、同一の図柄を所定の複数揃えるものであり、前記入賞図柄表示手段（６４、１６０）は、設定された当選可能状態で出現し得る当選パターンを構成する一の図柄を表示するものであることを特徴とする［１］に記載のスロットマシン。
【手続補正８】
【補正対象書類名】明細書
【補正対象項目名】００１１
【補正方法】変更
【補正の内容】
【００１１】［３］前記特別遊技状態には、遊技者に付与する利益が異なる複数種類のものがあり、前記当選可能状態は前記特別遊技状態の種類と１対１に対応付けて複数の種類が設けてあり、  前記遊技状態表示手段（６３、１６０）は、前記複数種類の中のいずれかの当選可能状態に設定されているかを表示するものであることを特徴とする［１］または［２］に記載のスロットマシン。
【手続補正９】
【補正対象書類名】明細書
【補正対象項目名】００１３
【補正方法】変更
【補正の内容】
【００１３】［５］前記自動当選手段（１２１）は、遊技者が停止させたリール（３０ａ〜３０ｃ）のうちの少なくとも１つが前記当選パターンを構成する位置で停止しているときだけ、前記当選パターンにならない原因となったリールを再回転させた後、当該リールを前記当選パターンが成立するように停止させることを特徴とする［１］、［２］または［３］に記載のスロットマシン。
【手続補正１０】
【補正対象書類名】明細書
【補正対象項目名】００１４
【補正方法】変更
【補正の内容】
【００１４】［６］前記自動当選手段（１２１）は、遊技者が停止させたリール（３０ａ〜３０ｃ）のうちの少なくとも最初に停止させたリールが前記当選パターンを構成する位置で停止しているときだけ、前記当選パターンにならない原因となったリールを再回転させた後、当該リールを前記当選パターンが成立するように停止させることを特徴とする［１］、［２］、［３］、［４］または［５］に記載のスロットマシン。
【手続補正１１】
【補正対象書類名】明細書
【補正対象項目名】００１８
【補正方法】変更
【補正の内容】
【００１８】  遊技状態表示手段（６３、１６０）は、当選可能状態に設定されているか否かを遊技者に通知する。また、当選パターンには、揃えるべき図柄が異なる複数種類のものがあり、入賞図柄表示手段（６４、１６０）は、当選可能状態に設定されたとき、該設定された当選可能状態で出現し得る当選パターンが複数種類の中のいずれかの当選パターンであるかを遊技者に通知する。
【手続補正１２】
【補正対象書類名】明細書
【補正対象項目名】００２１
【補正方法】変更
【補正の内容】
【００２１】  なお当選パターンが、同一の図柄を所定の複数揃えるものの場合には、入賞図柄表示手段（６４、１６０）は、設定された当選可能状態で出現し得る当選パターンを構成する一の図柄を表示する。たとえば、青色「ＢＡＲ」の図柄を３つ揃える場合には、入賞図柄表示手段（６４、１６０）は、１つの青色［ＢＡＲ」の図柄を表示する。
【手続補正１３】
【補正対象書類名】明細書
【補正対象項目名】００２２
【補正方法】変更
【補正の内容】
【００２２】  また特別遊技状態には、遊技者に付与する利益が異なる複数種類のものがあり、当選可能状態は特別遊技状態の種類と１対１に対応付けて複数の種類が設けてあり、遊技状態表示手段（６３、１６０）は、複数種類の中のいずれかの当選可能状態に設定されているかを表示する。たとえば、ビッグボーナスとレギュラーボーナスの２つの特別遊技状態が設定されている場合には、ビッグボーナス用の当選可能状態とレギュラーボーナス用の当選可能状態が設定され、いずれの当選可能状態に設定されているかが遊技状態表示手段に表示される。
【手続補正１４】
【補正対象書類名】明細書
【補正対象項目名】００２３
【補正方法】変更
【補正の内容】
【００２３】  なお、通常は、ビッグボーナス用の当選可能状態に設定されているときに揃えるべき当選パターンとレギュラーボーナス用の当選可能状態に設定されているときに揃える当選パターンとは異なるものになっている。したがって、現在、ビッグボーナスの出得る当選可能状態に設定されているときは、入賞図柄表示手段（６４、１６０）には、ビッグボーナス用の図柄が表示され、さらに目押しで外れたときには、再回転の後に、ビッグボーナス用の図柄が揃うようにリールが自動停止することになる。
【手続補正１５】
【補正対象書類名】明細書
【補正対象項目名】００２４
【補正方法】変更
【補正の内容】
【００２４】  また、遊技者が停止させたリール（３０ａ〜３０ｃ）のうちの少なくとも１つが当選パターンを構成する位置で停止しているときだけ、当選パターンにならない原因となったリールを再回転させた後、リールを当選パターンが成立するように停止させる。当選パターンを構成する図柄が１つでも停止表示すれば、遊技者は当選パターンの出現を期待するし、その期待に的確に応えることができる。
【手続補正１６】
【補正対象書類名】明細書
【補正対象項目名】００２５
【補正方法】変更
【補正の内容】
【００２５】  また、遊技者が停止させたリール（３０ａ〜３０ｃ）のうちの少なくとも最初に停止させた１つのリールが当選パターンを構成する位置で停止したときだけ、当選パターンにならない原因となったリールを再回転させた後、該リールを当選パターンが成立するように停止させる。
【手続補正１７】
【補正対象書類名】明細書
【補正対象項目名】００２７
【補正方法】変更
【補正の内容】
【００２７】  当選可能状態に設定されているとき、当選パターンが出るように各リール（３０ａ〜３０ｃ）の停止位置を対応する停止スイッチ（１２ａ〜１２ｃ）が押下されたタイミングから所定の制御範囲を限度に調整するものでは、この制御範囲が他のリールに比べて狭く設定されたリールを設ける。このように制御範囲を狭くすることで当たりの図柄の描画数を少なくしたことと同じ効果を得ることができる。
【手続補正１８】
【補正対象書類名】明細書
【補正対象項目名】００４５
【補正方法】変更
【補正の内容】
【００４５】  なお、第１のリール３０ａは、ＢＢ当選パターンを構成する赤色「７」の図柄が比較的多数描画されており、その配置間隔が制御範囲内に収まるようになっている。したがって、ＢＢ当選可能状態に設定されていれば、第１のリール３０ａについては、どのようなタイミングでストップスイッチ１２ａを押下しても、必ず当選パターンを構成する赤色「７」の図柄が有効ライン上に停止するように制御される。
【手続補正１９】
【補正対象書類名】明細書
【補正対象項目名】００４６
【補正方法】変更
【補正の内容】
【００４６】  一方、第２、第３のリール３０ｂ、３０ｃは、赤色「７」の図柄の配置間隔が制御範囲よりも広く設定されている。このため、第２、第３のリールについては、適切なタイミングでストップスイッチ１２ｂ、１２ｃを押下しなければ、当選パターンに対応する図柄（当たり図柄）が出現しないようになっている。つまり、ＢＢ当選可能状態に設定されているとき、第２、第３のリール３０ｂ、３０ｃについては、所謂、目押しを行う必要がある。
【手続補正２０】
【補正対象書類名】明細書
【補正対象項目名】００５０
【補正方法】変更
【補正の内容】
【００５０】  表示制御部１６０は、ＢＢ当選可能状態に設定されたとき、遊技状態表示部６３に「ＢＢ」の文字を、ＲＢ当選可能状態に設定されたとき、遊技状態表示部６３に「ＲＢ」の文字をそれぞれ表示する機能を有している。また表示制御部１６０は、ＢＢ当選可能状態に設定されたとき、今回のＢＢ当選可能状態で揃えるべき当選パターンを構成する図柄を入賞図柄表示部６４に表示する。同様にＲＢ当選可能状態に設定されたときは、今回のＲＢ当選可能状態で揃えるべき当選パターンを構成する図柄を入賞図柄表示部６４に表示する機能を備えている。
【手続補正２１】
【補正対象書類名】明細書
【補正対象項目名】００５４
【補正方法】変更
【補正の内容】
【００５４】  より詳しくは、当選数値がＢＢ当選数値であればＢＢ当選可能状態に、ＲＢ当選数値であれば、ＲＢ当選可能状態に遊技状態を移行させる。さらにＢＢ当選可能状態に設定されたときには、遊技状態表示部６３に「ＢＢ」の文字を表示するとともに、今回のＢＢ当選可能状態で揃えるべき図柄を入賞図柄表示部６４に表示する。ＲＢ当選可能状態に設定されたときには遊技状態表示部６３に「ＲＢ」の文字を表示し、かつ今回のＲＢ当選可能状態で揃えるべき図柄を入賞図柄表示部６４に表示する（ステップＳ４０８）。乱数抽選の結果が当選数値でなければ（ステップＳ４０６；Ｎ）、遊技状態を当選不可状態のままにする。
【手続補正２２】
【補正対象書類名】明細書
【補正対象項目名】００５６
【補正方法】変更
【補正の内容】
【００５６】  一方、当選パターンが成立しない外れ状態で（ステップＳ４１０；Ｎ）、かつ当選可能状態に設定されてからの遊技実行回数が所定回数未満ならば（ステップＳ４１１；Ｎ）、遊技状態を当選可能状態のまま維持し、当選可能状態に設定されてからの遊技実行回数が所定回数に達したならば（ステップＳ４１１；Ｙ）、当選パターンが出なくても遊技状態を当選不可状態に戻し（ステップＳ４１２）、遊技状態表示部６３および入賞図柄表示部６４を無表示状態に戻す（ステップＳ４１３）。
【手続補正２３】
【補正対象書類名】明細書
【補正対象項目名】００５９
【補正方法】変更
【補正の内容】
【００５９】  ビッグボーナス用の特別遊技状態に移行されると、以後、所定の解除条件が満足されるまでの間、極めて有利な条件で遊技が進行し、通常、遊技者は合計で３００枚から４００枚のメダルを獲得する。
【手続補正２４】
【補正対象書類名】明細書
【補正対象項目名】００６１
【補正方法】変更
【補正の内容】
【００６１】  図６は、再回転後にビッグボーナス用の当選パターンが揃う場合におけるゲームの進行状況の一例を示している。遊技状態がＢＢ当選可能状態に設定されているので、遊技状態表示部６３には「ＢＢ」の文字が表示され、入賞図柄表示部６４には赤色「７」の図柄が表示されている。
【手続補正２５】
【補正対象書類名】明細書
【補正対象項目名】００６２
【補正方法】変更
【補正の内容】
【００６２】  スロット遊技では、スタートスイッチ１３が操作されると全てのリールが回転する（図６ａ）。その後、遊技者がストップスイッチ１２ａ〜１２ｃを押下したタイミングにしたがって各リールを停止させる（図６ｂ、ｃ）。ここで、ＢＢ当選可能状態に設定されていることおよび揃えるべき図柄を遊技状態表示部６３および入賞図柄表示部６４によって遊技者に通知しているので、遊技者は、入賞図柄表示部６４に表示された図柄を狙って目押しを行うことになる。
【手続補正２６】
【補正対象書類名】明細書
【補正対象項目名】００６３
【補正方法】変更
【補正の内容】
【００６３】  本例では、第１のリール３０ａは、その円周方向外周面に制御範囲よりも狭い間隔で赤色「７」の図柄（ビッグボーナス用の当たり図柄）を配置しているので、どのようなタイミングでストップスイッチ１２ａを押下しても、ＢＢ当選可能状態に設定されていれば、赤色「７」の図柄６０１が有効化されたライン（ここでは中央の横の有効ライン）上に停止表示される（図６ｂ）。
【手続補正２７】
【補正対象書類名】明細書
【補正対象項目名】００６５
【補正方法】変更
【補正の内容】
【００６５】  このように、ＢＢ当選可能状態に設定されているときに行われたスロット遊技で遊技者の操作に基づいて停止した１または２以上のリールの停止位置が当選パターンを構成しないとき、自動当選制御部１２１は、図６ｄに示すように、外れの原因になった全てのリール３０ｂ、３０ｃを再回転させ、その後、図６ｅに示すように、赤色「７」の図柄６０４、６０５が表示されるように第２、第３のリール３０ｂ、３０ｃを停止させる。これにより赤色「７」の図柄が３つ揃って当選パターンが成立する。
【手続補正２８】
【補正対象書類名】明細書
【補正対象項目名】００７０
【補正方法】変更
【補正の内容】
【００７０】  レギュラーボーナス用の特別遊技状態に移行すると、以後、所定の解除条件が満足されるまでの間、有利な条件で遊技が進行し、通常、遊技者は合計で１００枚程度のメダルを獲得する。
【手続補正２９】
【補正対象書類名】明細書
【補正対象項目名】００７２
【補正方法】変更
【補正の内容】
【００７２】  図９は、再回転後にＲＢ当選パターンが揃う場合におけるゲームの進行状況の一例を示している。遊技状態がＲＢ当選可能状態に設定されているので、遊技状態表示部６３には「ＲＢ」の文字が表示され、入賞図柄表示部６４には青色「ＢＡＲ」の図柄が表示されている。
【手続補正３０】
【補正対象書類名】明細書
【補正対象項目名】００７４
【補正方法】変更
【補正の内容】
【００７４】  このように、遊技状態がＲＢ当選可能状態に設定されているにもかかわらず、全てのリールが停止した際にＲＢ当選パターンが形成されなかったとき、自動当選制御部１２１は、図９ｄに示すように、外れの原因になったリール３０ａ、３０ｃを再回転させ、その後、図９ｅに示すように、ＲＢ当選パターンである青色「ＢＡＲ」の図柄９０２、９０４、９０５が３つ揃うように第１、第３のリール３０ａ、ｃを停止させる。
【手続補正３１】
【補正対象書類名】明細書
【補正対象項目名】００７６
【補正方法】変更
【補正の内容】
【００７６】  このように、ＢＢ当選可能状態あるいはＲＢ当選可能状態に遊技状態が入ったにもかかわらず、遊技者のストップ操作に基づいて全てのリールを停止させた際にビッグボーナス用やレギュラーボーナス用の当選パターンが出ないとき、停止位置が不適当な全てのリールを再回転させ、これらを自動的に当選パターンがでるように停止させるので、技量の未熟な初心者等であっても容易にビッグボーナスやレギュラーボーナス等の利益を得ることができる。さらに、ＢＢ当選可能状態やＲＢ当選可能状態に設定されている旨およびそれらの状態で揃えるべき図柄が遊技者に通知されるとともに、最初は、遊技者が停止スイッチを押下したタイミングに基づいてリールを停止させるので、技量のある者は、目押しのテクニックを十分に楽しむことができる。
【手続補正３２】
【補正対象書類名】明細書
【補正対象項目名】００７８
【補正方法】変更
【補正の内容】
【００７８】  以上説明した各実施の形態では、赤色「７」の図柄をＢＢ当選パターンとし、青色「ＢＡＲ」の図柄をＲＢ当選パターンとしたが、各当選パターンを構成する図柄はこれらに限定されるものではない。さらに、ＢＢ当選パターンやＲＢ当選パターンをそれぞれ複数種類設け、各当選可能状態に設定されたときに揃えることのできる当選パターンをこれら複数種類の中のいずれか１つに限定し、またその１種類が当選可能状態に設定されるごとに変動するように構成してもよい。
【手続補正３３】
【補正対象書類名】明細書
【補正対象項目名】００７９
【補正方法】変更
【補正の内容】
【００７９】  たとえばＢＢ当選パターンとして赤色「７」を揃えるものと青色「７」を揃えるものの２種類用意し、ＢＢ当選可能状態に設定されたときいずれか一方だけを今回の当選可能状態で揃い得る当選パターンに選択し、その図柄を入賞図柄表示部６４に表示する等である。
【手続補正３４】
【補正対象書類名】明細書
【補正対象項目名】００８０
【補正方法】変更
【補正の内容】
【００８０】  このほか、実施の形態では、２つあるいは３つ全てのリールが不適当な位置で停止した場合に、当選パターンにならない原因となったリールを再回転させた後、リールを前記当選パターンが成立するように停止させるように構成したが、外れの原因になったリールが１つだけの場合に限り再回転し、当選パターンにならない原因となったリールを再回転させた後、該リールを当選パターンが成立するように停止させる自動当選するように構成してもよい。
【手続補正３５】
【補正対象書類名】明細書
【補正対象項目名】００８１
【補正方法】変更
【補正の内容】
【００８１】  さらに全てのリールが不適当な位置で停止した場合にも再回転が起こり、自動当選するように構成してもよいし、少なくとも１つのリールが当選パターンを構成する図柄で停止している場合に限り、当選パターンにならない原因となったリールを再回転させた後、リールを前記当選パターンが成立するように停止させるようにしてもよい。また少なくとも最初に停止させたリールが当選パターンを構成する図柄で停止した場合に限り、当選パターンにならない原因となったリールを再回転させた後、リールを前記当選パターンが成立するように停止させるように制限してもよい。
【手続補正３６】
【補正対象書類名】明細書
【補正対象項目名】００８２
【補正方法】変更
【補正の内容】
【００８２】  さらに実施の形態では、一部のリールについて、当選パターンを構成する図柄の描画数を少なくしたが、描画数に代えて、制御範囲の広さを一部のリールだけ狭くしてもよい。また実施の形態では、一旦、当選可能状態に設定されると、当選しなければその状態が所定期間継続するようになっているが、スロット遊技を実行するごとに毎回、乱数抽選を行い、各回ごとに当選可能状態とするか否かを選択するように構成しても良い。
【手続補正３７】
【補正対象書類名】明細書
【補正対象項目名】００８４
【補正方法】変更
【補正の内容】
【００８４】【発明の効果】  本発明にかかるスロットマシンによれば、当選可能状態に設定されているか否かおよび当選可能状態でどの図柄を揃えるべきかが遊技者に通知されるので、遊技者は効率よく目押しを行うことができる。さらに、当選可能状態に設定されているときに行われたスロット遊技で目押しがうまくいかず、当選パターンが出なかったときには、外れの要因になったリールを再回転させて当選パターンが出るようにこれらを自動的に停止させるので、技量の未熟な初心者等であっても容易にビッグボーナスやレギュラーボーナス等の利益を得ることできる。